【手続補正書】
【提出日】平成24年3月7日(2012.3.7)
【手続補正１】
【補正対象書類名】明細書
【補正対象項目名】発明の名称
【補正方法】変更
【補正の内容】
【発明の名称】表示装置、画像表示制御プログラム及び画像表示方法
【手続補正２】
【補正対象書類名】明細書
【補正対象項目名】０００１
【補正方法】変更
【補正の内容】
【０００１】
本発明は、表示装置、画像表示制御プログラム及び画像表示方法に関するものである。
【手続補正３】
【補正対象書類名】明細書
【補正対象項目名】０００６
【補正方法】変更
【補正の内容】
【０００６】
本発明は、かかる従来の課題に鑑みてなされたものであり、画像の順次表示機能を有効利用して、動画表示に充分な滑らかさが得られるプ表示装置、画像表示制御プログラム及び画像表示方法を提供することを目的とするものである。
【手続補正４】
【補正対象書類名】明細書
【補正対象項目名】０００７
【補正方法】変更
【補正の内容】
【０００７】
前記課題を解決するため請求項１記載の発明に係る表示装置にあっては、フレーム画像を取り込む取込手段と、この取込手段により取り込まれた時間的に隣接する前後フレーム画像に基づき、前記時分割投影の時間差に応じて順次変化する補間フレーム画像を生成する補間画像生成手段と、前記取込手段より取り込まれた前後フレーム画像間に、前記補間画像生成手段により生成された補間フレーム画像を介挿して、異なる色により時分割表示する表示手段とを備えることを特徴とする。
【手続補正５】
【補正対象書類名】明細書
【補正対象項目名】０００８
【補正方法】変更
【補正の内容】
【０００８】
また、請求項２記載の発明に係る表示装置にあっては、前記補間画像生成手段は、前記時分割数に応じた数の補間フレーム画像を生成することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、請求項３記載の発明に係る表示装置にあっては、前記取込手段により取り込まれた時間的に隣接する前後フレーム画像に基づき、前記投影手段により投影される画像が動画であるか静止画であるかを判断する判断手段と、この判断手段により動画であると判断された場合に、前記補間画像生成手段を動作させる制御手段とをさらに備えることを特徴とする。
また、請求項４記載の発明に係る表示装置にあっては、前記表示手段は、前記判断手段により静止画であると判断された場合に、前記補間画像生成手段により生成された補間フレーム画像を用いずに時分割表示することを特徴とする。
【手続補正８】
【補正対象書類名】明細書
【補正対象項目名】００１１
【補正方法】変更
【補正の内容】
【００１１】
また、請求項５記載の発明に係る表示装置にあっては、前記取込手段により取り込まれた時間的に隣接する前後フレーム画像を記憶する記憶手段をさらに備え、前記補間画像生成手段は、前記記憶手段に記憶された前記前後フレーム画像に基づき、補間フレーム画像を生成することを特徴とする。
また、請求項６記載の発明に係る表示装置にあっては、前記取込手段により取り込まれた時間的に隣接する前後フレーム画像を記憶する記憶手段をさらに備え、前記判断手段は、前記記憶手段に記憶された前記前後フレーム画像に基づき、前記表示手段により表示される画像が動画であるか静止画であるかを判断することを特徴とする。
また、請求項７記載の発明に係る表示装置にあっては、前記表示手段は、前記取込手段より取り込まれた前後フレーム画像間に、前記補間画像生成手段により生成された補間フレーム画像を介挿して、異なる発光色により、時分割投影して表示することを特徴とする。
【手続補正９】
【補正対象書類名】明細書
【補正対象項目名】００１２
【補正方法】変更
【補正の内容】
【００１２】
また、請求項８記載の発明に係る画像表示制御プログラムにあっては、表示装置が有するコンピュータを、フレーム画像を取り込む取込手段と、この取込手段により取り込まれた時間的に隣接する前後フレーム画像に基づき、前記時分割投影の時間差に応じて順次変化する補間フレーム画像を生成する補間画像生成手段と、前記取込手段より取り込まれた前後フレーム画像間に、前記補間画像生成手段により生成された補間フレーム画像を介挿して、異なる色により時分割表示する表示手段ととして機能させることを特徴とする。
【手続補正１０】
【補正対象書類名】明細書
【補正対象項目名】００１３
【補正方法】変更
【補正の内容】
【００１３】
また、請求項９記載の発明に係る及び画像表示方法にあっては、フレーム画像を取り込む取込ステップと、この取込ステップにより取り込まれた時間的に隣接する前後フレーム画像に基づき、前記時分割投影の時間差に応じて順次変化する補間フレーム画像を生成する補間画像生成ステップと、前記取込ステップより取り込まれた前後フレーム画像間に、前記補間画像生成ステップにより生成された補間フレーム画像を介挿して、異なる色により時分割表示する表示ステップとを含むことを特徴とする。
【手続補正１１】
【補正対象書類名】明細書
【補正対象項目名】００１４
【補正方法】変更
【補正の内容】
【００１４】
本発明によれば、画像の順次表示機能を有効利用して、動画表示に充分な滑らかさを得ることができ、表示装置における動画表示機能を動画の滑らかさにおいて高めることができる。
【手続補正１２】
【補正対象書類名】特許請求の範囲
【補正対象項目名】全文
【補正方法】変更
【補正の内容】
【特許請求の範囲】
【請求項１】
フレーム画像を取り込む取込手段と、
この取込手段により取り込まれた時間的に隣接する前後フレーム画像に基づき、前記時分割投影の時間差に応じて順次変化する補間フレーム画像を生成する補間画像生成手段と、
前記取込手段より取り込まれた前後フレーム画像間に、前記補間画像生成手段により生成された補間フレーム画像を介挿して、異なる色により時分割表示する表示手段と
を備えることを特徴とする表示装置。
【請求項２】
前記補間画像生成手段は、前記時分割数に応じた数の補間フレーム画像を生成することを特徴とする請求項１記載の表示装置。
【請求項３】
前記取込手段により取り込まれた時間的に隣接する前後フレーム画像に基づき、前記投影手段により投影される画像が動画であるか静止画であるかを判断する判断手段と、
この判断手段により動画であると判断された場合に、前記補間画像生成手段を動作させる制御手段と
をさらに備えることを特徴とする請求項１、２記載の表示装置。
【請求項４】
前記表示手段は、前記判断手段により静止画であると判断された場合に、前記補間画像生成手段により生成された補間フレーム画像を用いずに時分割表示することを特徴とする請求項３記載の表示装置。
【請求項５】
前記取込手段により取り込まれた時間的に隣接する前後フレーム画像を記憶する記憶手段をさらに備え、
前記補間画像生成手段は、前記記憶手段に記憶された前記前後フレーム画像に基づき、補間フレーム画像を生成することを特徴とする請求項１から４にいずれか記載の表示装置。
【請求項６】
前記取込手段により取り込まれた時間的に隣接する前後フレーム画像を記憶する記憶手段をさらに備え、
前記判断手段は、前記記憶手段に記憶された前記前後フレーム画像に基づき、前記表示手段により表示される画像が動画であるか静止画であるかを判断することを特徴とする請求項３記載の表示装置。
【請求項７】
前記表示手段は、前記取込手段より取り込まれた前後フレーム画像間に、前記補間画像生成手段により生成された補間フレーム画像を介挿して、異なる発光色により、時分割投影して表示することを特徴とする請求項１から６にいずれか記載の表示装置。
【請求項８】
表示装置が有するコンピュータを、
フレーム画像を取り込む取込手段と、
この取込手段により取り込まれた時間的に隣接する前後フレーム画像に基づき、前記時分割投影の時間差に応じて順次変化する補間フレーム画像を生成する補間画像生成手段と、
前記取込手段より取り込まれた前後フレーム画像間に、前記補間画像生成手段により生成された補間フレーム画像を介挿して、異なる色により時分割表示する表示手段と
として機能させることを特徴とする画像表示制御プログラム。
【請求項９】
フレーム画像を順次取り込む取込ステップと、
この取込ステップにより取り込まれた時間的に隣接する前後フレーム画像に基づき、前記時分割投影の時間差に応じて順次変化する補間フレーム画像を生成する補間画像生成ステップと、
前記取込ステップより取り込まれた前後フレーム画像間に、前記補間画像生成ステップにより生成された補間フレーム画像を介挿して、異なる色により時分割表示する表示ステップと
を含むことを特徴とする及び画像表示方法。